(57)【要約】【課題】  プリンタ、コピー機等の画像形成装置に設けられると好適な無線ＬＡＮ装置であって、段階的なパワーダウンおよび復帰を可能とする。【解決手段】  消費電力削減のためのパワーダウン命令を発行するパワーダウン命令発行部と、上記パワーダウン命令発行部から発行されるパワーダウン命令を受け付けるパワーダウン命令受付部と、上記パワーダウン命令受付部が受け付けたパワーダウン命令に基づいて無線ＬＡＮ機能部を構成するモジュール群のパワーダウンおよび復帰を所定の順序で実行するパワーダウンシーケンスコントローラとを備える。【選択図】  図２
2006140738.tif 000002
【特許請求の範囲】
【請求項１】
消費電力削減のためのパワーダウン命令を発行するパワーダウン命令発行部と、
上記パワーダウン命令発行部から発行されるパワーダウン命令を受け付けるパワーダウン命令受付部と、
上記パワーダウン命令受付部が受け付けたパワーダウン命令に基づいて無線ＬＡＮ機能部を構成するモジュール群のパワーダウンおよび復帰を所定の順序で実行するパワーダウンシーケンスコントローラとを備えたことを特徴とする無線ＬＡＮ装置。
【請求項２】
メディアアクセス制御を行うＭＡＣ処理部と、ベースバンド信号の処理を行うＢＢ処理部と、上位ＣＰＵの処理を分担するチップ内ＣＰＵとを含み、上記無線ＬＡＮ機能部を構成するＩＣチップを備えたことを特徴とする請求項１に記載の無線ＬＡＮ装置。
【請求項３】
上位装置に設けられる上位ＣＰＵの機能として上記パワーダウン命令発行部を実現し、
上記チップ内ＣＰＵの機能として上記パワーダウン命令受付部および上記パワーダウンシーケンスコントローラを実現したことを特徴とする請求項２に記載の無線ＬＡＮ装置。
【請求項４】
上記モジュール群には、
メディアアクセス制御を行うＭＡＣ処理部と、
ベースバンド信号の処理を行うＢＢ処理部と、
上記チップ内ＣＰＵにクロック信号を供給する第１のオシレータと、
高周波信号処理を行うＲＦ処理部にクロック信号を供給する第２のオシレータとが含まれることを特徴とする請求項３に記載の無線ＬＡＮ装置。
【請求項５】
上記パワーダウンシーケンスコントローラは、上記ＭＡＣ処理部、上記ＢＢ処理部、上記第２のオシレータ、上記第１のオシレータ、上記チップ内ＣＰＵの順にパワーダウンを行うことを特徴とする請求項４に記載の無線ＬＡＮ装置。
【請求項６】
上記パワーダウンシーケンスコントローラは、上記第１のオシレータ、上記第２のオシレータ、上記ＢＢ処理部、上記ＭＡＣ処理部の順に復帰を行うことを特徴とする請求項４または５のいずれか一項に記載の無線ＬＡＮ装置。
【請求項７】
上位装置に設けられる上位ＣＰＵの機能として上記パワーダウン命令発行部、上記パワーダウン命令受付部および上記パワーダウンシーケンスコントローラを実現したことを特徴とする請求項１に記載の無線ＬＡＮ装置。
【請求項８】
上記モジュール群には、
メディアアクセス制御を行うＭＡＣ処理部と、
ベースバンド信号の処理を行うＢＢ処理部と、
高周波信号処理を行うＲＦ処理部にクロック信号を供給するオシレータとが含まれることを特徴とする請求項７に記載の無線ＬＡＮ装置。
【請求項９】
上記パワーダウンシーケンスコントローラは、上記ＭＡＣ処理部、上記ＢＢ処理部、上記オシレータの順にパワーダウンを行うことを特徴とする請求項８に記載の無線ＬＡＮ装置。
【請求項１０】
上記パワーダウンシーケンスコントローラは、上記オシレータ、上記ＢＢ処理部、上記ＭＡＣ処理部の順に復帰を行うことを特徴とする請求項８または９のいずれか一項に記載の無線ＬＡＮ装置。
【請求項１１】
消費電力削減のためのパワーダウン機能を有する無線ＬＡＮ装置に用いられる半導体装置において、
上記無線ＬＡＮ装置または外部からのパワーダウン命令を受け付けるパワーダウン命令受付部と、
上記パワーダウン命令受付部が受け付けたパワーダウン命令に基づいて無線ＬＡＮ機能部を構成するモジュール群のパワーダウンおよび復帰を所定の順序で実行するパワーダウンシーケンスコントローラとを備えたことを特徴とする半導体装置。
【請求項１２】
メディアアクセス制御を行うＭＡＣ処理部と、
ベースバンド信号の処理を行うＢＢ処理部と、
上位ＣＰＵの処理を分担するチップ内ＣＰＵとを備えたことを特徴とする請求項１１に記載の半導体装置。
【発明の詳細な説明】
【技術分野】
【０００１】
本発明は段階的なパワーダウンおよび復帰を可能とした無線ＬＡＮ装置に関する。
【背景技術】
【０００２】
無線ＬＡＮ(Local Area Network)技術はＩＥＥＥ８０２．１１(Institute of Electrical and Electronics Engineers 802.11)において標準化が進み、従前の有線式のネットワークに代え、あるいは有線式のネットワークと並存する形で無線ＬＡＮの導入が進んでいる。一般に無線ＬＡＮの機能はＰＣＭＣＩＡ(Personal Computer Memory Card International Association)等の規格に準拠したＰＣカード等により提供され、主にパーソナルコンピュータに装着されて用いられている。なお、パーソナルコンピュータでは消費電力削減を目的に、所定の時間にわたって操作が行われない場合に各部への電源供給をオフにする機能が設けられている。
【０００３】
図１は従来における無線ＬＡＮ機能部の電源制御のための構成例を示す図である。図１において、パーソナルコンピュータ１００に装着されたＰＣカード２００上に、集積化されたＩＣチップ２０１、２０４が設けられ、ＩＣチップ２０１にはＣＳＭＡ／ＣＡ(Carrier Sense Multiple Access with Collision Avoidance)等のメディアアクセス制御（MAC: Media Access Control）を行うＭＡＣ処理部２０２と、ベースバンド(BB: Base Band)信号の処理を行うＢＢ処理部２０３とが設けられ、ＩＣチップ２０４には高周波(RF: Radio Frequency)信号処理を行うＲＦ処理部２０５が設けられている。信号の経路としては、送信時はパーソナルコンピュータ１００のＣＰＵ１０１からＩＣチップ２０１のＭＡＣ処理部２０２、ＢＢ処理部２０３、ＩＣチップ２０４のＲＦ処理部２０５を経てアンテナ２０６から無線信号が送出され、受信時はアンテナ２０６、ＩＣチップ２０４のＲＦ処理部２０５、ＩＣチップ２０１のＢＢ処理部２０３、ＭＡＣ処理部２０２を経てパーソナルコンピュータ１００のＣＰＵ１０１に受信信号が到達する。
【０００４】
一方、無線ＬＡＮ機能部の電源制御としては、パーソナルコンピュータ１００のＣＰＵ１０１からＰＣカード２００のＩＣチップ２０１およびＩＣチップ２０４に対して所定のタイミングで電源オフを指示する信号が与えられ、ＰＣカード２００側の電源がオフにされるものであった。また、電源の復帰にあっては、パーソナルコンピュータ１００のＣＰＵ１０１からＰＣカード２００のＩＣチップ２０１およびＩＣチップ２０４に対して所定のタイミングで電源オンを指示する信号が与えられ、ＰＣカード２００側の電源がオンにされるものであった。
【発明の開示】
【発明が解決しようとする課題】
【０００５】
ところで、昨今の事務機器に対する機能拡大のニーズにより、上記のパーソナルコンピュータ以外の、例えばプリンタやコピー機にも無線ＬＡＮの機能が搭載され始めている。ここで、プリンタやコピー機は、パーソナルコンピュータと比べ、電源が常時投入されているものであることから消費電力削減のニーズが極めて高く、無線ＬＡＮの機能についても例外ではない。また、パーソナルコンピュータではユーザが使用しない場合はシャットダウンやスリープに移行させてしまっても問題はないが、プリンタやコピー機はいつネットワークを介してプリントジョブ等が与えられるか定かでないため、機能を完全にオフしてしまうわけにはいかない。
【０００６】
この点、図１に示した従来のパーソナルコンピュータ１００における無線ＬＡＮ機能部の電源制御では、単にＰＣカード２００側の電源を全面的にオフにし、利用者の操作等に応じて電源をオンに復帰するものであったため、適用は困難である。
【０００７】
また、無線ＬＡＮ装置内のモジュール単位で電源の制御を行うことによって必要な機能を残しつつ最大限の消費電力の削減を図ることが考えられるが、無線ＬＡＮ機能部は一般に複数のクロック信号が用いられているため、誤動作による不都合を回避するために制御手順を考慮する必要がある。すなわち、図１に示した無線ＬＡＮ装置にあっては、パーソナルコンピュータ１００のＣＰＵ１０１に用いられるクロック信号と、ＲＦ処理部２０５、ＢＢ処理部２０３、ＭＡＣ処理部２０２において用いられるクロック信号との２系統のクロック信号が存在するため、パワーダウンおよび復帰における制御手順を考慮する必要がある。
【０００８】
本発明は上記の従来の問題点に鑑み提案されたものであり、その目的とするところは、段階的なパワーダウンおよび復帰を可能とした無線ＬＡＮ装置を提供することにある。
【課題を解決するための手段】
【０００９】
上記の課題を解決するために、本発明にあっては、請求項１に記載されるように、消費電力削減のためのパワーダウン命令を発行するパワーダウン命令発行部と、上記パワーダウン命令発行部から発行されるパワーダウン命令を受け付けるパワーダウン命令受付部と、上記パワーダウン命令受付部が受け付けたパワーダウン命令に基づいて無線ＬＡＮ機能部を構成するモジュール群のパワーダウンおよび復帰を所定の順序で実行するパワーダウンシーケンスコントローラとを備えるようにしている。
【００１０】
また、請求項２に記載されるように、メディアアクセス制御を行うＭＡＣ処理部と、ベースバンド信号の処理を行うＢＢ処理部と、上位ＣＰＵの処理を分担するチップ内ＣＰＵとを含み、上記無線ＬＡＮ機能部を構成するＩＣチップを備えるようにすることができる。
【００１１】
また、請求項３に記載されるように、上位装置に設けられる上位ＣＰＵの機能として上記パワーダウン命令発行部を実現し、上記チップ内ＣＰＵの機能として上記パワーダウン命令受付部および上記パワーダウンシーケンスコントローラを実現することができる。
【００１２】
また、請求項４に記載されるように、上記モジュール群には、メディアアクセス制御を行うＭＡＣ処理部と、ベースバンド信号の処理を行うＢＢ処理部と、上記チップ内ＣＰＵにクロック信号を供給する第１のオシレータと、高周波信号処理を行うＲＦ処理部にクロック信号を供給する第２のオシレータとが含まれるものとすることができる。
【００１３】
また、請求項５に記載されるように、上記パワーダウンシーケンスコントローラは、上記ＭＡＣ処理部、上記ＢＢ処理部、上記第２のオシレータ、上記第１のオシレータ、上記チップ内ＣＰＵの順にパワーダウンを行うようにすることができる。
【００１４】
また、請求項６に記載されるように、上記パワーダウンシーケンスコントローラは、上記第１のオシレータ、上記第２のオシレータ、上記ＢＢ処理部、上記ＭＡＣ処理部の順に復帰を行うようにすることができる。
【００１５】
また、請求項７に記載されるように、上位装置に設けられる上位ＣＰＵの機能として上記パワーダウン命令発行部、上記パワーダウン命令受付部および上記パワーダウンシーケンスコントローラを実現することができる。
【００１６】
また、請求項８に記載されるように、上記モジュール群には、メディアアクセス制御を行うＭＡＣ処理部と、ベースバンド信号の処理を行うＢＢ処理部と、高周波信号処理を行うＲＦ処理部にクロック信号を供給するオシレータとが含まれるものとすることができる。
【００１７】
また、請求項９に記載されるように、上記パワーダウンシーケンスコントローラは、上記ＭＡＣ処理部、上記ＢＢ処理部、上記オシレータの順にパワーダウンを行うようにすることができる。
【００１８】
また、請求項１０に記載されるように、上記パワーダウンシーケンスコントローラは、上記オシレータ、上記ＢＢ処理部、上記ＭＡＣ処理部の順に復帰を行うようにすることができる。
【００１９】
また、請求項１１に記載されるように、消費電力削減のためのパワーダウン機能を有する無線ＬＡＮ装置に用いられる半導体装置において、上記無線ＬＡＮ装置または外部からのパワーダウン命令を受け付けるパワーダウン命令受付部と、上記パワーダウン命令受付部が受け付けたパワーダウン命令に基づいて無線ＬＡＮ機能部を構成するモジュール群のパワーダウンおよび復帰を所定の順序で実行するパワーダウンシーケンスコントローラとを備えた半導体装置として構成することができる。
【００２０】
また、請求項１２に記載されるように、上記の半導体装置は、メディアアクセス制御を行うＭＡＣ処理部と、ベースバンド信号の処理を行うＢＢ処理部と、上位ＣＰＵの処理を分担するチップ内ＣＰＵとを備えるようにすることができる。
【発明の効果】
【００２１】
本発明の無線ＬＡＮ装置にあっては、段階的なパワーダウンおよび復帰を可能とし、状況に応じて必要な機能を残しつつ最大限の消費電力の削減を図ることができる。
【発明を実施するための最良の形態】
【００２２】
以下、本発明の好適な実施形態につき説明する。
【００２３】
図２は本発明の無線ＬＡＮ装置の電源制御のための基本的構成を示す図である。図２において、モジュール群Ｄは電源制御の対象となる無線ＬＡＮ装置の複数のモジュールが含まれるものであり、ベースバンド信号の処理を行うＢＢ処理部、ＣＳＭＡ／ＣＡ等のメディアアクセス制御を行うＭＡＣ処理部、各モジュールにクロック信号を供給するオシレータ等が含まれている。また、消費電力削減のためのパワーダウン命令を発行するパワーダウン命令発行部Ａと、このパワーダウン命令発行部Ａから発行されるパワーダウン命令を受け付けるパワーダウン命令受付部Ｂと、パワーダウン命令受付部Ｂが受け付けたパワーダウン命令に基づいてモジュール群Ｄのパワーダウンおよび復帰を所定の順序で実行するパワーダウンシーケンスコントローラＣとが設けられている。なお、各部の具体的配置については以下のより具体的な実施形態において説明する。
【００２４】
図３は本発明の無線ＬＡＮ装置の第１の実施形態を示す構成図であり、無線ＬＡＮ装置の主要部を構成するＩＣチップ内に上位装置のＣＰＵとは別にＣＰＵを備えたタイプの構成に本発明を適用したものである。すなわち、プリンタ、コピー機等の画像形成装置に搭載される上位ＣＰＵの処理の一部をＩＣチップのチップ内ＣＰＵが分担するようにすることで、上位ＣＰＵの負担を大幅に軽減し、パーソナルコンピュータ等に比べて一般的に処理性能の低い上位ＣＰＵであっても無線ＬＡＮ機能の追加等に伴う付加処理によって過度な負担がかかることを防止するようにしたものを対象としている。
【００２５】
図３において、無線ＬＡＮ装置は、プリンタ、コピー機等の装置内の上位ＣＰＵ１と接続されるＩＣチップ２と、ＩＣチップ２にクロック信号を供給するオシレータ３と、ＩＣチップ２と接続されるＩＣチップ４と、ＩＣチップ４にクロック信号を供給するオシレータ５と、アンテナ６とから構成されている。また、ＩＣチップ２には、上位ＣＰＵ１との間で信号の入出力を行う外部ＣＰＵインタフェース２１と、上位ＣＰＵ１の処理負担を軽減するためのチップ内ＣＰＵ２２と、ＣＳＭＡ／ＣＡ等のメディアアクセス制御を行うＭＡＣ処理部２３と、ベースバンド信号の処理を行うＢＢ処理部２４と、ＩＣチップ４との間で信号の入出力を行うＲＦインタフェース２５とが設けられている。ＩＣチップ４には高周波信号処理を行うＲＦ処理部４１が設けられている。
【００２６】
図４は図３に示した第１の実施形態における電源制御のための機能部の配置を示す図であり、上位ＣＰＵ１の機能としてパワーダウン命令発行部Ａを実現し、チップ内ＣＰＵ２２の機能としてパワーダウン命令受付部ＢおよびパワーダウンシーケンスコントローラＣを実現している。また、制御対象となるモジュール群Ｄには、ＢＢ処理部２４、ＭＡＣ処理部２３、オシレータ３、５が含まれる。
【００２７】
図５は図３に示した第１の実施形態における無線ＬＡＮ装置をプリンタ、コピー機等の画像形成装置に搭載した状態の例を示す構成図である。図５において、画像形成装置１０には、制御処理を行う機能部を実装したコントローラボード１１と、ユーザの操作を受け付けるとともに動作状態を表示するオペレーションパネル１６と、印刷処理を行うエンジン１７とを備えている。そして、コントローラボード１１には、画像形成装置１０における主たる制御処理を行う上位ＣＰＵ１と、固定的データ／プログラムを格納するＲＯＭ(Read Only Memory)および作業領域となるＲＡＭ(Random Access Memory)を含むメモリ１３と、アプリケーションプログラムおよび印刷データ等を格納するハードディスク装置１４と、画像処理を行うＡＳＩＣ(Application Specific Integrated Circuit)１２と、ＩＣチップ２、４、オシレータ３、５を含み、アンテナ６に接続される無線ＬＡＮインタフェース部１５とが設けられている。
【００２８】
図６は図４に示したパワーダウン命令発行部Ａ、パワーダウン命令受付部Ｂ、パワーダウンシーケンスコントローラＣの連携動作により行われるパワーダウン処理のフローを示す図である。図６において、上位ＣＰＵ１は無線ＬＡＮが所定の時間にわたって使用されていない場合あるいは所定の時刻に達した場合等のパワーダウンの条件が満たされると、チップ内ＣＰＵ２２に対してパワーダウン命令発行部Ａ（図４）の機能によりパワーダウン命令を発行する（ステップＳ１）。チップ内ＣＰＵ２２はパワーダウン命令受付部Ｂ（図４）の機能によりパワーダウン命令を受け付けると、パワーダウンシーケンスコントローラＣ（図４）の機能によりＭＡＣ処理部２３およびＢＢ処理部２４をパワーダウン状態（電源供給を絶った状態）にする（ステップＳ２、Ｓ３）。
【００２９】
次いで、チップ内ＣＰＵ２２はパワーダウンシーケンスコントローラＣ（図４）の機能によりオシレータ５を停止する（ステップＳ４）。これにより、ＲＦ処理部４１からＢＢ処理部２４に対してクロック信号が供給されなくなるが、ＲＦ処理部４１における無線信号の受信は可能な状態であるため、無線信号の到来を検出した場合には他のモジュールをパワーダウン状態から復帰させることが可能である。次いで、チップ内ＣＰＵ２２はパワーダウンシーケンスコントローラＣ（図４）の機能により、自己に対してクロック信号を供給するオシレータ３を停止し（ステップＳ５）、同時に自らをパワーダウン状態にする。
【００３０】
このように、段階的に各モジュールをパワーダウン状態にすることができ、無線信号の到来を検出可能な状態で最小の消費電力の状態に移行することができる。
【００３１】
図７はパワーダウン状態からの起動（復帰）処理のフローを示す図である。図７において、上位ＣＰＵ１は稼動状態にあるものとし、他のモジュールは停止状態にあるものとする。起動にあっては、上位ＣＰＵ１から外部ＣＰＵインタフェース２１を介し、チップ内ＣＰＵ２２を経由してオシレータ３を起動する（ステップＳ１１、Ｓ１２）。これによりオシレータ３からチップ内ＣＰＵ２２にクロック信号が供給され、チップ内ＣＰＵ２２は稼動状態に入る。次いで、チップ内ＣＰＵ２２はＲＦ処理部４１を経由してオシレータ５を起動するとともに（ステップＳ１３）、ＢＢ処理部２４およびＭＡＣ処理部２３を起動する（ステップＳ１４、Ｓ１５）。これにより、ＲＦ処理部４１からクロック信号がＢＢ処理部２４に供給され、次いで、ＢＢ処理部２４からＭＡＣ処理部２３にクロック信号が供給され、システム全体が正常な稼動状態に移行することになる。
【００３２】
次に、図８は本発明の無線ＬＡＮ装置の第２の実施形態を示す構成図であり、チップ内ＣＰＵを搭載しないタイプの無線ＬＡＮ装置に適用した例を示すものである。なお、各モジュールはＩＣチップとして構成する場合と、ディスクリート（個別部品）により構成する場合とがある。図８において、無線ＬＡＮ装置は、プリンタ、コピー機等の上位装置内のＣＰＵ９１と、ＣＳＭＡ／ＣＡ等のメディアアクセス制御を行うＭＡＣ処理部９２と、ベースバンド信号の処理を行うＢＢ処理部９３と、高周波信号処理を行うＲＦ処理部９４と、ＲＦ処理部９４にクロック信号を供給するオシレータ９５と、アンテナ９６とが設けられている。
【００３３】
図９は図８に示した第２の実施形態における電源制御のための機能部の配置を示す図であり、ＣＰＵ９１の機能としてパワーダウン命令発行部Ａ、パワーダウン命令受付部ＢおよびパワーダウンシーケンスコントローラＣを実現している。また、制御対象となるモジュール群Ｄには、ＢＢ処理部９３、ＭＡＣ処理部９２、オシレータ９５が含まれる。
【００３４】
図１０は図９に示したパワーダウン命令発行部Ａ、パワーダウン命令受付部Ｂ、パワーダウンシーケンスコントローラＣの連携動作により行われるパワーダウン処理のフローを示す図である。図１０において、ＣＰＵ９１は無線ＬＡＮが所定の時間にわたって使用されていない場合あるいは所定の時刻に達した場合等のパワーダウンの条件が満たされると、パワーダウン命令発行部Ａ（図９）の機能によりパワーダウン命令を発行し、パワーダウン命令受付部Ｂ（図９）の機能によりパワーダウン命令を受け付けると、パワーダウンシーケンスコントローラＣ（図４）の機能によりＭＡＣ処理部９２およびＢＢ処理部９３をパワーダウン状態（電源供給を絶った状態）にする（ステップＳ２１、Ｓ２２）。次いで、ＣＰＵ９１はパワーダウンシーケンスコントローラＣ（図９）の機能によりオシレータ９５を停止する（ステップＳ２３）。これにより、ＲＦ処理部９４からＢＢ処理部９３に対してクロック信号が供給されなくなるが、ＲＦ処理部９４における無線信号の受信は可能な状態であるため、無線信号の到来を検出した場合には他のモジュールをパワーダウン状態から復帰させることが可能である。
【００３５】
図１１はパワーダウン状態からの起動（復帰）処理のフローを示す図である。図１１において、ＣＰＵ９１は稼動状態にあるものとし、他のモジュールは停止状態にあるものとする。起動にあっては、ＣＰＵ９１はオシレータ９５を起動するとともに（ステップＳ３１）、ＢＢ処理部９３およびＭＡＣ処理部９２を起動する（ステップＳ３２、Ｓ３３）。これにより、ＲＦ処理部９４からクロック信号がＢＢ処理部９３に供給され、次いで、ＢＢ処理部９３からＭＡＣ処理部９２にクロック信号が供給され、システム全体が正常な稼動状態に移行することになる。
【００３６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００３７】
【図１】従来における無線ＬＡＮ機能部の電源制御のための構成例を示す図である。
【図２】本発明の無線ＬＡＮ装置の電源制御のための基本的構成を示す図である。
【図３】本発明の無線ＬＡＮ装置の第１の実施形態を示す構成図である。
【図４】第１の実施形態における電源制御のための機能部の配置を示す図である。
【図５】第１の実施形態における無線ＬＡＮ装置を画像形成装置に搭載した状態の例を示す構成図である。
【図６】パワーダウン処理のフローを示す図である。
【図７】起動処理のフローを示す図である。
【図８】本発明の無線ＬＡＮ装置の第２の実施形態を示す構成図である。
【図９】第２の実施形態における電源制御のための機能部の配置を示す図である。
【図１０】パワーダウン処理のフローを示す図である。
【図１１】起動処理のフローを示す図である。
【符号の説明】
【００３８】
Ａ      パワーダウン命令発行部
Ｂ      パワーダウン命令受付部
Ｃ      パワーダウンシーケンスコントローラ
Ｄ      モジュール群
１      上位ＣＰＵ
１０    画像形成装置
１１    コントローラボード
１２    ＡＳＩＣ
１３    メモリ
１４    ハードディスク装置
１５    無線ＬＡＮインタフェース部
１６    オペレーションパネル
１７    エンジン
２      ＩＣチップ
２１    外部ＣＰＵインタフェース
２２    チップ内ＣＰＵ
２３    ＭＡＣ処理部
２４    ＢＢ処理部
２５    ＲＦインタフェース
３      オシレータ
４      ＩＣチップ
４１    ＲＦ処理部
５      オシレータ
６      アンテナ
９１    ＣＰＵ
９２    ＭＡＣ処理部
９３    ＢＢ処理部
９４    ＲＦ処理部
９５    オシレータ
９６    アンテナ
【図１】
2006140738.tif 000003
【図２】
2006140738.tif 000004
【図３】
2006140738.tif 000005
【図４】
2006140738.tif 000006
【図５】
2006140738.tif 000007
【図６】
2006140738.tif 000008
【図７】
2006140738.tif 000009
【図８】
2006140738.tif 000010
【図９】
2006140738.tif 000011
【図１０】
2006140738.tif 000012
【図１１】
2006140738.tif 000013